(57)【特許請求の範囲】
【請求項１】
全体が直方体形状をなし、その底部を構成する底部ベースと上部を構成する上部枠との間に側壁を折り畳み可能に組み付けると共に、上面に１対の回動蓋を備え、それら１対の回動蓋を前記上部枠の上面から突出した突条ヒンジ部に回動可能に連結した折り畳みコンテナにおいて、
前記１対の回動蓋を横切るようにベルトを巻くために、前記底部ベースの下面を横切るように延びて前記ベルトを受容可能なベルト受容溝と、前記上部枠の上面のうち前記ベルト受容溝の真上に配置されて両側を前記突条ヒンジ部に挟まれたベルト当接部とを設け、
前記上部枠の開口縁における前記ベルト当接部の内側部分を段付き状に下げて枠開口段差部を形成し、その枠開口段差部に前記回動蓋の縁部を上方から重ねて前記回動蓋の上面と前記ベルト当接部の上面とを面一にしたことを特徴とする折り畳みコンテナ。
【請求項２】
前記側壁は、互いに対向した１対の跳上側壁と１対の折曲側壁とからなり、
前記跳上側壁は、前記上部枠に回動可能に連結されると共に、前記底部ベース又は前記折曲側壁に係止して起立状態に保持され、
前記折曲側壁は、上下方向の中央で上側分割側壁と下側分割側壁とに分割されると共に、それら上側分割側壁と下側分割側壁との間、前記上側分割側壁と前記上部枠との間、前記下側分割側壁と前記底部ベースとの間が、それぞれ回動可能に連結され、前記両跳上側壁を折り畳んだ状態で前記各折曲側壁が内側に２つ折り可能とされる一方、通常は、前記起立状態の前記跳上側壁に前記折曲側壁が当接することで前記２つ折りが規制された起立状態に保持され、
前記上部枠のうち前記上側分割側壁が連結された部位にその上側分割側壁の上端部を外側から覆う上端側壁カバー部を設けると共に、前記底部ベースのうち下側分割側壁が連結された部位にその下側分割側壁の下端部を外側から覆う下端側壁カバー部を設け、
前記上端側壁カバー部と前記上側分割側壁の上端部とのうち何れか一方から突出して他方に突き合わされた側壁上部補強リブと、前記下端側壁カバー部と前記下側分割側壁の下端部とのうち何れか一方から突出して他方に突き合わされた側壁下部補強リブと、前記ベルト受容溝と前記ベルト当接部との間を連絡するベルト配置領域の内部に設けたことを特徴とする請求項１に記載の折り畳みコンテナ。
【請求項３】
前記側壁上部補強リブは前記上端側壁カバー部に一体形成される一方、前記側壁下部補強リブは前記下側分割側壁の下端部に一体形成され、
前記跳上側壁を内側に折り畳みかつ前記折曲側壁を２つ折りにした状態で、前記上側分割側壁と前記下側分割側壁とが上下方向で重なって前記上部枠と前記底部ベースとの間で挟まれかつ、前記側壁下部補強リブが前記上側分割側壁に突き当てられかつ、前記側壁上部補強リブが前記下端側壁カバー部の上面に突き当てられるように構成したことを特徴とする請求項２に記載の折り畳みコンテナ。
【発明の詳細な説明】
【技術分野】
【０００１】
本発明は、上面に回動蓋を備えた折り畳みコンテナに関し、特に、ベルトが巻かれて締め付けられる折り畳みコンテナに関する。
【背景技術】
【０００２】
従来、この種の折り畳みコンテナは、全体が直方体形状をなし、その底部を構成する底部ベースと上部を構成する上部枠との間に側壁を折り畳み可能に備えると共に、上部枠の上面から突出した突条ヒンジ部に１対の回動蓋を回動可能に連結して備えていた（例えば、特許文献１参照）。
【特許文献１】特開２００４−２６８９１９号公報（第１図、第５図）
【発明の開示】
【発明が解決しようとする課題】
【０００３】
ところで、折り畳みコンテナには、１対の回動蓋を横切るようにベルトが巻かれる場合がある。しかしながら、上記した従来の折り畳みコンテナでは、回動蓋を回動可能に軸支するヒンジが回動蓋より上方に突出しているための、ベルトが回動蓋から浮いてしまい、回動蓋を閉止状態に安定させることができなかった。また、折り畳みコンテナは、上記したように複数の部品を組み付けてなるので、ベルトの締め付けによって変形し、折畳状態と組立状態とに変更できなくなることが懸念されていた。
【０００４】
本発明は、上記事情に鑑みてなされたもので、ベルトを巻いて回動蓋を閉止状態に確実に保持することができると共に、ベルトの締め付けによって変形し難い折り畳みコンテナの提供を目的とする。
【課題を解決するための手段】
【０００５】
上記目的を達成するためになされた請求項１の発明に係る折り畳みコンテナは、全体が直方体形状をなし、その底部を構成する底部ベースと上部を構成する上部枠との間に側壁を折り畳み可能に組み付けると共に、上面に１対の回動蓋を備え、それら１対の回動蓋を上部枠の上面から突出した突条ヒンジ部に回動可能に連結した折り畳みコンテナにおいて、１対の回動蓋を横切るようにベルトを巻くために、底部ベースの下面を横切るように延びてベルトを受容可能なベルト受容溝と、上部枠の上面のうちベルト受容溝の真上に配置されて両側を突条ヒンジ部に挟まれたベルト当接部とを設け、上部枠の開口縁におけるベルト当接部の内側部分を段付き状に下げて枠開口段差部を形成し、その枠開口段差部に回動蓋の縁部を上方から重ねて回動蓋の上面とベルト当接部の上面とを面一にしたところに特徴を有する。
【０００６】
請求項２の発明は、請求項１に記載の折り畳みコンテナにおいて、側壁は、互いに対向した１対の跳上側壁と１対の折曲側壁とからなり、跳上側壁は、上部枠に回動可能に連結されると共に、底部ベース又は折曲側壁に係止して起立状態に保持され、折曲側壁は、上下方向の中央で上側分割側壁と下側分割側壁とに分割されると共に、それら上側分割側壁と下側分割側壁との間、上側分割側壁と上部枠との間、下側分割側壁と底部ベースとの間が、それぞれ回動可能に連結され、両跳上側壁を折り畳んだ状態で各折曲側壁が内側に２つ折り可能とされる一方、通常は、起立状態の跳上側壁に折曲側壁が当接することで２つ折りが規制された起立状態に保持され、上部枠のうち上側分割側壁が連結された部位にその上側分割側壁の上端部を外側から覆う上端側壁カバー部を設けると共に、底部ベースのうち下側分割側壁が連結された部位にその下側分割側壁の下端部を外側から覆う下端側壁カバー部を設け、上端側壁カバー部と上側分割側壁の上端部とのうち何れか一方から突出して他方に突き合わされた側壁上部補強リブと、下端側壁カバー部と下側分割側壁の下端部とのうち何れか一方から突出して他方に突き合わされた側壁下部補強リブと、ベルト受容溝とベルト当接部との間を連絡するベルト配置領域の内部に設けたところに特徴を有する。
【０００７】
請求項３の発明は、請求項２に記載の折り畳みコンテナにおいて、側壁上部補強リブは上端側壁カバー部に一体形成される一方、側壁下部補強リブは下側分割側壁の下端部に一体形成され、跳上側壁を内側に折り畳みかつ折曲側壁を２つ折りにした状態で、上側分割側壁と下側分割側壁とが上下方向で重なって上部枠と底部ベースとの間で挟まれかつ、側壁下部補強リブが上側分割側壁に突き当てられかつ、側壁上部補強リブが下端側壁カバー部の上面に突き当てられるように構成したところに特徴を有する。
【発明の効果】
【０００８】
［請求項１の発明］
請求項１の折り畳みコンテナにベルトを巻くには、底部ベースの下面のベルト受容溝と、上部枠の上面のベルト当接部とにベルトを宛がって巻けばよい。すると、ベルト受容溝の両内側面とベルト当接部の両側の突条ヒンジ部とによってベルトの横ずれが防止される。また、上部枠の枠開口段差部に回動蓋の縁部が上方から重なって回動蓋の上面とベルト当接部の上面とが面一になるので、ベルトにより回動蓋を確実に閉止状態に保持することができる。しかも、上部枠の枠開口段差部によって回動蓋を下方から支持しているので、ベルトの締め力によって比較的強度が低い回動蓋が変形することを防ぐことができる。このように本発明の折り畳みコンテナによれば、ベルトを巻くことで回動蓋を閉止状態に確実に保持することができると共に、ベルトの締め付けによる変形も防ぐことができる。
【０００９】
［請求項２の発明］
請求項２の折り畳みコンテナでは、折曲側壁の上側半分を構成する上側分割側壁の上端部が上部枠の上端側壁カバー部によって外側から覆われ、折曲側壁の下側半分を構成する下側分割側壁の下端部が底部ベースの下端側壁カバー部によって外側から覆われる。よって、跳上側壁と折曲側壁とを起立状態にしてベルトを巻くと、ベルトが上端側壁カバー部と下端側壁カバー部との間に差し渡されて、それら上端側壁カバー部と下端側壁カバー部が側方から締め付けられる。そのベルトの締め付け力に対して、上側分割側壁の上端部が、側壁上部補強リブを介して上端側壁カバー部を内側から補強し、下側分割側壁の下端部が、側壁下部補強リブを介して下端側壁カバー部を内側から補強しているので、上端側壁カバー部及び下端側壁カバー部の変形を防ぐことができる。
【００１０】
［請求項３の発明］
請求項３の折り畳みコンテナでは、跳上側壁及び折曲側壁を折畳状態にすると、上側分割側壁と下側分割側壁とが上下方向で重なって上部枠と底部ベースとの間で挟まれかつ、側壁下部補強リブが上側分割側壁の上端部に突き当てられかつ、側壁上部補強リブが下端側壁カバー部の上面に突き当てられる。これらにより、ベルトによる上下方向を向いた締め付け力に対する上部枠の変形を防ぐことができる。
【発明を実施するための最良の形態】
【００１１】
以下、本発明の一実施形態を図１〜図１３に基づいて説明する。図１に示すように、折り畳みコンテナ１０（以下、単に「コンテナ１０」という）は、全体が直方体形状をなし、その底部を構成する長方形の底部ベース１１と上部を構成する長方形の上部枠２０との間に１対ずつの折曲側壁３０，３０と跳上側壁４０，４０とを組み付けかつ、上部枠２０の上面に１対の回動蓋５０，５０を組み付けてなる。
【００１２】
図７〜図９には、底部ベース１１が単体の状態で示されている。図７に示すように、底部ベース１１は、長方形の底板１１Ａの下面に図８に示した下駄部１１Ｂを備えている。下駄部１１Ｂは、格子状のリブ１１Ｌの周囲を囲壁１１Ｍで囲んだ構造をなし、底板１１Ａのうち長手方向の中央部を除いた略全体に亘って形成されている。そして、底板１１Ａの長手方向の中央部で両側を下駄部１１Ｂ，１１Ｂに挟まれた帯状の領域がベルト受容溝１２になっている。ベルト受容溝１２は、図９に示すように下駄部１１Ｂの下面より上方に陥没している。また、図３に示すように、ベルト受容溝１２には、下駄部１１Ｂより底板１１Ａからの突出量が小さい複数の下面横リブ１２Ｌが、両下駄部１１Ｂ，１１Ｂの間を連絡するように設けられている。さらに、ベルト受容溝１２の長手方向における両端部には、隣り合った１対の下面横リブ１２Ｌ，１２Ｌの間を連絡する第１連絡リブ１４Ａが設けられている。
【００１３】
図４に拡大して示すように、底板１１Ａのうち長辺側の外縁部には、外側斜め上方に隆起した隆起部１１Ｒと、その隆起部１１Ｒから水平外側に延びた側壁台座部１１Ｄと、側壁台座部１１Ｄの先端部が直角上方に起立した本発明に係る下端側壁カバー部１３とが形成されている。図示しないが、底板１１Ａのうち短辺側の外縁部も、外側斜め上方に隆起してから水平外側に延びている。そして、その水平部分の先端部が直角上方に屈曲して図１に示した底部ストッパ壁１１Ｓになっている。
【００１４】
図４に示すように、側壁台座部１１Ｄの下面には、下端側壁カバー部１３を下方に延長させた外縁下面リブ１１Ｎが形成され、隆起部１１Ｒと外縁下面リブ１１Ｎとの間が、図８に示した複数の外縁補強リブ１１Ｐによって連絡されている。そして、外縁下面リブ１１Ｎのうちベルト受容溝１２の延長上に位置した部分がベルト受容溝１２と同じ幅で段付き状に上方に陥没し、その外縁下面リブ１１Ｎの陥没部分と隆起部１１Ｒとの間を連絡する第２連絡リブ１４Ｂが設けられている。なお、第１及び第２の連絡リブ１４Ａ，１４Ｂは、ベルト受容溝１２における幅方向の中央の真上に配置されている（図８参照）。
【００１５】
図１０及び図１１には、上部枠２０が単体の状態で示されている。図１０（Ａ）に示すように、上部枠２０は、外側の輪郭と内側の輪郭が共に長方形になっている。また、図２に示すように、上部枠２０の外側の輪郭の長方形と底部ベース１１の外側の輪郭の長方形とは略同一になっている。
【００１６】
図４に示すように、上部枠２０の長辺部分は下方に開放した溝構造になっている。そして、その溝構造を構成する枠内側壁２７と枠外側壁２８との間が、図１０（Ｂ）に示した複数の枠補強リブ２４によって連絡されている。また、図４に示すように、枠外側壁２８は枠内側壁２７より下方に延ばされ、その枠外側壁２８の下端部が本発明に係る上端側壁カバー部２８Ａになっている。また、図１１に示すように、上部枠２０の長辺部分の両端部には、上部枠２０の長辺と平行に延びた回動ピン２８Ｐが突出形成されている。また、枠内側壁２７における長手方向の所定箇所には下方に向けてピン支持壁２８Ｗが垂下され、そのピン支持壁２８Ｗからも回動ピン２８Ｐが突出している。そして、これら回動ピン２８Ｐによって折曲側壁３０を構成する後述する上側分割側壁３１の上端部が回動可能に軸支されている。
【００１７】
図４に示すように、上端側壁カバー部２８Ａの内面には枠補強リブ２４を下方に延長して側壁上部補強リブ２５が形成されている。その側壁上部補強リブ２５は、上端側壁カバー部２８Ａの内面から枠内側壁２７に向かって途中部分まで突出している。なお、複数の側壁上部補強リブ２５のうち１つは、ベルト受容溝１２における幅方向の中央の真上に位置するように配置されている。
【００１８】
図１に示すように、上部枠２０の長辺部分の上面には、回動蓋５０を回動可能に連結した突条ヒンジ部２１が形成されている。突条ヒンジ部２１は、上部枠２０の長辺部分における上面から突出した複数の回動支持突起２０Ｈ（図１１参照）の間に、回動蓋５０の一側縁部に設けた回動突部５０Ｈ（図１２参照）を配置すると共に回動突部５０Ｈから水平方向に突出した蓋回動ピン５０Ｐ（図１２参照）を回動支持突起２０Ｈに備えた図示しないピン孔に係合させて回動蓋５０が上部枠２０に対して回動可能に支持されている。また、両回動蓋５０，５０のうち回動支点から離れた側の端部は、互いに半分ずつ上下方向で重なり合う構造になっている。具体的には、図１２（Ａ）に示すように、回動蓋５０のうち回動支点から離れた側の縁部は、その長手方向における半分が相手側の回動蓋５０に向かって突出した重合突片５３Ａになっており、残り半分が重合突片５３Ａを受容可能な突片受容部５３Ｂになっている。そして、各回動蓋５０の重合突片５３Ａが相手側の回動蓋５０の突片受容部５３Ｂに上方から重ねられて、両重合突片５３Ａ，５３Ａ上面が面一になる。
【００１９】
なお、回動蓋５０の上面には、図１２（Ａ）に示すように、外縁部を除く略全体に、台形状をした陥没部５２が形成され、回動蓋５０の下面には、図１２（Ｂ）に示すように、回動蓋５０の外縁部と陥没部５２の裏面を横切る位置に補強リブ５０Ｌが形成されている。
【００２０】
図１に示すように、上部枠２０の長辺部分における長手方向の中央部、即ち、ベルト受容溝１２の真上に位置した部分は、両側を突条ヒンジ部２１，２１に挟まれたベルト当接部２０Ｊになっている。また、図４に示すように、上部枠２０の長辺部分には、その上面壁２９の内縁部を段付き状に下げて枠開口段差部２９Ｄが形成されている。さらに、図１３に示すように、回動蓋５０の縁部からはベルト当接部２０Ｊに向けて中央突片５１が張り出している。そして、図４に示すように、回動蓋５０を閉塞した状態で、枠開口段差部２９Ｄに中央突片５１を含む回動蓋５０の縁部が上方から重ねられ、回動蓋５０の上面とベルト当接部２０Ｊの上面を含む上面壁２９の上面とが面一になる。この状態で、中央突片５１が、図１３に示すように、ベルト当接部２０Ｊと枠開口段差部２９Ｄの段差面に突き合わされて、ベルト当接部２０Ｊと回動蓋５０との間の隙間を狭める役割を果たす。また、図１２（Ｂ）に示すように、回動蓋５０のうちベルト受容溝１２の真上で枠開口段差部２９Ｄに重ねられる位置の下面には、僅かに突出した当接突条５１Ａが形成されている。これにより、回動蓋５０のうちベルト当接部２０Ｊに対応した部分は確実に枠開口段差部２９Ｄの上面に当接するようになっている。
【００２１】
跳上側壁４０の上端部は、上部枠２０の各短辺部分に回動可能に連結されている。そのために、上部枠２０の短辺部分の内側面には、上面側の前記回動支持突起２０Ｈ（図１１参照）と同様に図３に示した回動支持突起２０Ｆが形成され、跳上側壁４０の上端部に備えた回動突部４０Ｈが回動支持突起２０Ｆの間に配置されて図示しないピンにて回動可能に連結されている。
【００２２】
図１に示すように、跳上側壁４０の下端部は、底部ベース１１の短辺部分の縁部から起立した前記底部ストッパ壁１１Ｓに内側から当接すると共に、跳上側壁４０の側縁部は、折曲側壁３０の側縁部から跳上側壁４０側に直角曲げされた側部ストッパ壁３０Ｓに内側から当接する。これにより、跳上側壁４０が底部ベース１１から直立した起立状態になる。また、図７に示すように、底部ストッパ壁１１Ｓから水平内側に突出した係止爪１１Ｋが、図３に示すように、跳上側壁４０の下縁部に形成された係止孔４０Ｍ内に係止すると共に、側部ストッパ壁３０Ｓから水平内側に突出した係止突起３０Ｋが跳上側壁４０の側縁部に形成された係止孔４０Ｎ内に係止している。これにより、跳上側壁４０が起立状態に保持されている。そして、跳上側壁４０の下端部を内側に押し込むように押圧又は殴打することで、係止爪１１Ｋ及び係止突起３０Ｋの係止が解除されて跳上側壁４０が上部枠２０の下端部に治まった折畳状態になる。なお、上部枠２０において跳上側壁４０の回動中心は、次述する上側分割側壁３１の回動中心より上方に位置しており、跳上側壁４０は折畳状態になると折曲側壁３０の上方に退避する。
【００２３】
図１に示すように、各折曲側壁３０は、上下方向の中央で上側分割側壁３１と下側分割側壁３５とに２分割されている。上側分割側壁３１は、全体が平板状の主板壁３１Ａで構成されると共に、その主板壁３１Ａの縁部を屈曲させる等して補強した構造になっている。下側分割側壁３５も同様である。そして、上側分割側壁３１の上端部は、上述の如く上部枠２０に備えた回動ピン２８Ｐによって上部枠２０の長辺部分に回動可能に支軸されている。また、底部ベース１１の長辺部分にも、上部枠２０の長辺部分と同様に回動ピン（図示せず）が備えられて、その底部ベース１１の長辺部分に下側分割側壁３５の下端部が回動可能に軸支されている。また、上側分割側壁３１と下側分割側壁３５とは、縁部に備えた複数の突部と凹部とを嵌合させた状態で共通のピン（図示せず）を貫通させることで回動可能に連結されている。そして、両跳上側壁４０，４０を折り畳んで状態で、各折曲側壁３０が内側に２つ折りにされ、図５及び図６に示すように、上側分割側壁３１と下側分割側壁３５の外面同士が対向した状態に重ねられ、上部枠２０と底部ベース１１とが互いに接近し、コンテナ１０全体が折畳状態になる。また、通常は、起立状態の両跳上側壁４０，４０に折曲側壁３０，３０が当接して２つ折りが規制された起立状態に保持され、コンテナ１０全体が組立状態に保持されている。
【００２４】
図４に示すように、上側分割側壁３１を構成する主板壁３１Ａは、上端部で外側に直角曲げされて段差壁３１Ｄとなり、その段差壁３１Ｄの先端から上方に直角曲げされて上端回動補強壁３１Ｂになっている。また、上端回動補強壁３１Ｂの上端部は上方内側に向かうように湾曲した円弧状をなし、その湾曲部の先端が水平内側を向いている。さらに、段差壁３１Ｄの内面と上端回動補強壁３１Ｂの内面とに跨るように上端縦リブ３１Ｃが形成され、その上端縦リブ３１Ｃの外縁部は、段差壁３１Ｄ側が主板壁３１Ａの内面と面一になりかつ上端側が上端回動補強壁３１Ｂの円弧状の湾曲部に連続した円弧になっている。
【００２５】
一方、下側分割側壁３５を構成する主板壁３５Ａは、その下端部が下方外側に向かうように湾曲した円弧状をなし、その湾曲部の先端が水平外側を向いている。また、下側分割側壁３５の下端寄り位置からは外側に向けて下端横リブ３５Ｄが張り出している。さらに、下端横リブ３５Ｄの外面と下端回動補強壁３５Ｂの外面とに跨るように側壁下部補強リブ３５Ｃが形成され、その側壁下部補強リブ３５Ｃの外縁部は、下端横リブ３５Ｄ側が下端側壁カバー部１３の内面と平行になってその下端側壁カバー部１３の内面に突き合わされ、下端側が下端回動補強壁３５Ｂの円弧状の湾曲部に連続した円弧になっている。
【００２６】
本実施形態のコンテナ１０では、折曲側壁３０のうち上端側壁カバー部２８Ａ及び下端側壁カバー部１３にて覆われた上下の両端部のみならず、上下方向の中間部においても上端側壁カバー部２８Ａ及び下端側壁カバー部１３の外側面より内側に配置されている。これにより、ベルト９０と折曲側壁３０との当接が回避されている。特に、折曲側壁３０のうち上下方向の中間のヒンジ連結部Ｈ１（図１参照）や補強リブ等の側面突出部は、コンテナ１０のうちベルト９０がベルト当接部２０Ｊ等により位置決めされて巻かれるベルト配置領域Ｒ１（図１参照）から外され、これにより折曲側壁３０とベルト９０との間が比較的大きく離されている。また、図４に示すように、下端側壁カバー部１３の上端部を側方に直角曲げし、この点においても、折曲側壁３０とベルト９０との間が比較的大きく離されている。さらに、その下端側壁カバー部１３における直角曲げ部分の内角部に三角リブ１１Ｔを設けて強度アップが図られている。
【００２７】
なお、上端縦リブ３１Ｃ及び側壁下部補強リブ３５Ｃは、折曲側壁３０の水平横方向（上部枠２０の長辺方向）に共に複数設けられ、それらのうち１つずつの上端縦リブ３１Ｃ及び側壁下部補強リブ３５Ｃが、ベルト受容溝１２における幅方向の中央の真上に配置されている。
【００２８】
本実施形態の構成に関する説明は以上である。次に、本実施形態の作用効果について説明する。図１に示すように、本実施形態のコンテナ１０にベルト９０を巻くには、底部ベース１１の下面のベルト受容溝１２と、上部枠２０の上面のベルト当接部２０Ｊとにベルト９０を宛がって巻けばよい。すると、ベルト受容溝１２の両内側面とベルト当接部２０Ｊの両側の突条ヒンジ部２１，２１とによってベルト９０の横ずれが防止される。また、コンテナ１０の下面では、図４に示すように、ベルト９０がベルト受容溝１２内に収まり、下駄部１１Ｂの下面より上方に位置し、床面に触れることが防がれる。
【００２９】
ベルト９０は、コンテナ１０の上面では、図１に示すように１対の回動蓋５０，５０を横切った状態になる。ここで、上部枠２０の内側開口縁には図４に示すように枠開口段差部２９Ｄが設けられ、回動蓋５０の中央突片５１が枠開口段差部２９Ｄに上方から重なって回動蓋５０の上面とベルト当接部２０Ｊの上面とが面一になっているので、ベルト９０を回動蓋５０に当接させて回動蓋５０を確実に閉止状態に保持することができる。しかも、上部枠２０の枠開口段差部２９Ｄによって回動蓋５０の中央突片５１は下方から支持されているので、ベルト９０の締め付け力によって比較的強度が低い回動蓋５０が変形することを防ぐことができる。また、上部枠２０のうちベルト当接部２０Ｊ，２０Ｊを備えた長辺部分が互いに接近するように撓んだときには回動蓋５０，５０が上部枠２０の両長辺部分の間で突っ張り状態になってベルト９０の締め付け力を受け止めることができる。
【００３０】
コンテナ１０の側面では、折曲側壁３０の上側半分を構成する上側分割側壁３１の上端部が上部枠２０の上端側壁カバー部２８Ａによって外側から覆われ、折曲側壁３０の下側半分を構成する下側分割側壁３５の下端部が底部ベース１１の下端側壁カバー部１３によって外側から覆われているので、ベルト９０が上端側壁カバー部２８Ａと下端側壁カバー部１３の間に差し渡され、それら上端側壁カバー部２８Ａと下端側壁カバー部１３が側方から締め付けられる。そのベルト９０の締め付け力に対して、上側分割側壁３１の上端部が側壁上部補強リブ２５を介して上端側壁カバー部２８Ａを内側から補強し、下側分割側壁３５の下端部が、側壁下部補強リブ３５Ｃを介して下端側壁カバー部１３を内側から補強しているので、上端側壁カバー部２８Ａ及び下端側壁カバー部１３の変形を防ぐことができる。また、折曲側壁３０のうちヒンジ連結部Ｈ１（図１参照）や補強リブ等の側面突出部は、ベルト配置領域Ｒ１から外されているので、ベルト９０の締め付け力が折曲側壁３０の上下方向における中間部に係ることはない。
【００３１】
さらに、図２に示すように、コンテナ１０を折畳状態にすると、図６に示すように、上側分割側壁３１と下側分割側壁３５とが上下方向で重なって上部枠２０（詳細には、枠内側壁２７）と底部ベース１１との間で挟まれかつ、側壁下部補強リブ３５Ｃが上側分割側壁３１に突き当てられかつ、上端側壁カバー部２８Ａ及び側壁上部補強リブ２５が下端側壁カバー部１３の上面に突き当てられる。これらにより、ベルト９０による上下方向を向いた締め付け力に対する上部枠２０の変形を防ぐことができる。
【００３２】
このように本実施形態のコンテナ１０によれば、ベルト９０を巻くことで回動蓋５０を閉止状態に確実に保持することができると共に、ベルト９０の締め付けによる変形も防ぐことができる。
【００３３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、コンテナ１０の長手方向の中央にベルト受容溝１２及びベルト当接部２０Ｊを備えていたが、コンテナの長手方向の両端部寄り位置にベルト受容溝及びベルト当接部を備えた構造にしてもよい。
【００３４】
（２）前記実施形態では、上部枠２０の長辺部分の全体に亘って枠開口段差部２９Ｄが形成され、その枠開口段差部２９Ｄ全体に回動蓋５０の縁部が上方から重ねられる構造になっていたが、ベルト受容溝の真上に位置した部分のみに枠開口段差部を設けた構造にしてもよい。
【００３５】
（３）前記実施形態では、上端側壁カバー部２８Ａと上側分割側壁３１の上端部のうち本発明に係る側壁上部補強リブ２５は、上端側壁カバー部２８Ａに一体形成されていたが、その逆の構成にしてもよい。具体的には、上側分割側壁３１の上端部を下側分割側壁３５の下端部と同様に構造にして本発明に係る「側壁上部補強リブ」を上側分割側壁３１に一体形成し、その「側壁上部補強リブ」を前記側壁上部補強リブ２５を有しない上端側壁カバー部２８Ａの内面に突き合わせた構造にしてもよい。
【００３６】
（４）前記実施形態では、下端側壁カバー部１３と下側分割側壁３５の下端部のうち本発明に係る側壁下部補強リブ３５Ｃは、下側分割側壁３５の下端部に一体形成されていたが、その逆の構成にしてもよい。具体的には、下側分割側壁３５の下端部を上側分割側壁３１の上端部と同じ構造にしかつ、側壁上部補強リブ２５と同様に、下端側壁カバー部１３の内面から下側分割側壁３５の下端部に向けて本発明に係る「側壁下部補強リブ」を張り出させ、下側分割側壁３５の下端部に突き合わせた構造にしてもよい。
【００３７】
（５）前記実施形態では、底部ベース１１及び上部枠２０が長方形になっていたが、正方形であってもよい。この場合、折り畳み状態にした際に、１対の跳上側壁４０，４０を上部枠２０内で重ね合わせればよい。
【図面の簡単な説明】
【００３８】
【図１】本発明の一実施形態に係る折り畳みコンテナの組立状態の斜視図
【図２】折り畳みコンテナの折り畳み状態の斜視図
【図３】折り畳みコンテナの組立状態の部分破断側面図
【図４】折り畳みコンテナの組立状態の側断面図
【図５】折り畳みコンテナの折り畳み状態の部分破断側面図
【図６】折り畳みコンテナの折り畳み状態の側断面図
【図７】底部ベースの上面図
【図８】底部ベースの下面図
【図９】底部ベースの側面図
【図１０】（Ａ）上部枠の上面図，（Ｂ）上部枠の下面図
【図１１】上部枠の側面図
【図１２】（Ａ）回動蓋の上面図，（Ｂ）回動蓋の下面図
【図１３】折り畳みコンテナの上面の部分拡大図
【符号の説明】
【００３９】
１０    折り畳みコンテナ
１１    底部ベース
１２    ベルト受容溝
１３    下端側壁カバー部
５１Ａ  当接突条
２０    上部枠
２４    枠補強リブ
２５    側壁上部補強リブ
２７    枠内側壁
２８    枠外側壁
２８Ａ    上端側壁カバー部
２９Ｄ    枠開口段差部
３０    折曲側壁
３１    上側分割側壁
３５    下側分割側壁
３５Ｃ    側壁下部補強リブ
４０    跳上側壁
５０    回動蓋
９０    ベルト
【図１】
0004993734.tif 000002
【図２】
0004993734.tif 000003
【図３】
0004993734.tif 000004
【図４】
0004993734.tif 000005
【図５】
0004993734.tif 000006
【図６】
0004993734.tif 000007
【図７】
0004993734.tif 000008
【図８】
0004993734.tif 000009
【図９】
0004993734.tif 000010
【図１０】
0004993734.tif 000011
【図１１】
0004993734.tif 000012
【図１２】
0004993734.tif 000013
【図１３】
0004993734.tif 000014